(57)【要約】【課題】  調理器本体に対してスライド機構を介して開閉扉を引き出し可能とし、誤操作やいたずらによってマイクロ波発振停止用スイッチが意図されない動作をするのを防止することができる引き出し式加熱調理器を提供する。【解決手段】  開閉扉４と加熱容器とを備える引き出し体２は、調理器本体１に対してガイドレール７によってスライド状に出し入れ可能である。固定レール１０と共にガイドレール７を構成する可動レール９には、その最奥位置１０ａにマイクロ波発振停止用スイッチ２６を作動させるための作動レバー２５が設けられている。作動レバー２５で作動される発振スイッチ２７もユーザ等がいたずらで動作できないように、調理器本体１内の後方に備わっている。引き出し体２を押し込んで開閉扉４を完全に閉じた状態でのみ、作動レバー２５によって発振スイッチ２７がオン動作する。【選択図】      図４
2006038299.tif 000002
【特許請求の範囲】
【請求項１】
内部に加熱室が形成されている調理器本体、前記調理器本体に対して前記加熱室の外側に配置されたスライド機構を介して前記加熱室内への収納位置と前記加熱室から外部への引き出し位置との間で移動可能に配設されている引き出し体、前記スライド機構の可動部分の奥方位置に設けられ前記引き出し体の移動と共に移動可能な作動レバー、及び前記加熱室内にマイクロ波を照射可能にするため前記引き出し体が前記収納位置を占めるときの前記作動レバーの位置に対応して前記調理器本体に設けられておりその位置を占める前記作動レバーによってオン動作されるマイクロ波発振停止スイッチを備えていることから成る引き出し式加熱調理器。
【請求項２】
前記スライド機構は、前記調理器本体に取り付けられた固定レールと前記引き出し体に前記可動部分として取り付けられた可動レールとを備えており、前記作動レバーは前記可動レールの最奥位置に設けられていることから成る請求項１に記載の引き出し式加熱調理器。
【請求項３】
前記引き出し体は、前記可動レールが取り付けられている開閉扉と前記開閉扉に取り付けられている加熱容器とを備えており、前記引き出し体が前記収納位置を占める状態において前記開閉扉は前記加熱室の開口部を閉鎖し且つ前記加熱容器は前記加熱室内に収納されることから成る請求項２に記載の引き出し式加熱調理器。
【請求項４】
前記調理器本体は、前記加熱室の前記開口部を囲み且つ前記引き出し体が前記収納位置を占める状態において前記開閉扉が当接する前面パネルを備えており、前記可動レールは前記前面パネルに形成された挿通孔を通して移動可能であることから成る請求項３に記載の引き出し式加熱調理器。
【発明の詳細な説明】
【技術分野】
【０００１】
この発明は、加熱容器を調理器本体から前方へ引き出し可能な引き出し式加熱調理器に関する。
【背景技術】
【０００２】
従来、電子レンジ等の加熱調理器については、前面に開閉扉式のものが数多く提案されているが、そうした型式とは別型式の調理器として前面側への引き出し式の加熱調理器も提案されている。引き出し式の加熱調理器は、比較的大型の構造に適しているので、システムキッチンを構成する調理器の一つとして位置づけられている。
【０００３】
引き出し式加熱調理器の一例として、前面の開閉扉と連動する底板を機器本体に対してスライド機構によって円滑にスライド可能とし、機器本体側に設けられているモータの出力をピニオン・ラック機構等の伝達手段によって底板を開閉扉と共に開閉駆動する構造が提案されている（特許文献１参照）。扉開閉装置は、開閉扉を閉成保持するラッチ装置と、扉開閉スイッチと、この扉開閉スイッチの信号を受けて開閉扉の開閉動作を行うようにモータを駆動する制御回路とを備えており、扉開閉スイッチを押すと、自動的にラッチを解除するとともに、モータの駆動力によって開閉扉と底板が連動して開閉動作する。
【特許文献１】特開平３−４５８２０号公報（第３頁上左欄第５行〜同頁上右欄第１６行、図２〜図４）
【０００４】
引き出し式加熱調理器の別の例として、被加熱物が収納される引き出し体が調理器本体内に引き出し可能に設けられた加熱調理器であって、引き出し体が手前側に引き出されたことを検出し、調理器本体の底面に設けられている電磁石脚部を励磁して調理器を載置した金属製載置面に吸着させるものが提案されている（特許文献２参照）。多量の被加熱物が収納された引き出し体が引き出されたときに電磁石脚部を金属製載置面に吸着させることにより、引き出し体が、重量バランス不安定となって、例えば、キッチンカウンターから前方に転倒するのを防止することを図っている。
【特許文献２】特開平６−１０９２５７号公報（段落［００１０］、図１）
【０００５】
引き出し式加熱調理器の他の例として、食品載置部を移動可能な引き出し構造とした電子レンジが提案されている（特許文献３参照）。この電子レンジは、上部に開口を有する加熱容器を電子レンジの本体筐体から引き出し自由に設け、加熱容器と本体筐体側に設けられた加熱容器の開口を覆う蓋部とでマイクロ波を閉じ込め加熱室を形成している。この電子レンジでは、加熱容器の開口周縁部とそれに対向する蓋部との間にチョーク溝を設けることにより、電波漏洩の防止を図っている。
【特許文献３】特開平１１−２３７０５３号公報（段落［００３０］〜［００３５］、図１）
【０００６】
しかしながら、従来の引き出し式加熱調理器は、開閉扉からマイクロ波発信スイッチを動作させるスイッチ作動レバーが突出しているため、被加熱物の出し入れの際に邪魔になるとともに清掃性が悪いという問題がある。また、加熱室開口周縁には、作動レバーに対向する孔を設ける必要があり、扉を開けた状態でこの孔から発振スイッチを動作できないように、安全面で構造上の工夫を施す必要があった。
【０００７】
本出願人は、被加熱物が収容される引き出し体が調理器本体から外へ引き出し可能に設けた加熱調理器を提案している（特願２００４−７３８５）。この加熱調理器によれば、移動機構を構成するために高い耐熱性と難燃性とを有する効果な部品又は材料を用いる必要をなくして製造コストを低減することができるとともに、移動機構が加熱室内に照射されるマイクロ波の影響を受けることがない構造とすることで、マイクロ波による放電のおそれを解消することができる。
【０００８】
マイクロ波を用いた電磁調理器では、扉が開いた状態でマイクロ波発生用のメインスイッチが作動するとマイクロ波が調理器の外部に漏れることになり危険な状態になるので、扉が閉じた状態でメインスイッチがオンとなるように設計されている。しかしながら、上記の引き出し体をスライドレールによって調理器本体から引き出し可能にした引き出し式加熱調理器においては、調理器本体の前面にマイクロ波発振停止用スイッチの作動機構を配置したのでは、開閉扉を開いた状態で作動機構を誤操作やいたずらによって作動させて当該スイッチをオンにしてしまう可能性がある。また、マイクロ波発振停止用スイッチの作動機構を調理器本体の裏面に配置する場合も、スライドレールの可動レールが調理器本体の前面に形成された通過孔内を通過可能であるので、通過孔と可動レールとの間に生じる隙間にいたずらや誤って金具を通して、当該スイッチを作動させてしまう可能性が皆無とは言えない。
【発明の開示】
【発明が解決しようとする課題】
【０００９】
そこで、調理器本体に対して加熱容器を含む引き出し体をスライド機構を介して引き出し可能とした引き出し式加熱調理器において、スライド機構が調理器本体の内部に延びていることに着目し、開閉扉の開閉動作に基づいてマイクロ波発振停止用スイッチの動作を生じさせることのできる動きを調理器本体の内部に得る点で解決すべき課題がある。
【課題を解決するための手段】
【００１０】
この発明の目的は、調理器本体に対して引き出し体をスライド機構を介して引き出し可能とし、誤操作やいたずらによってマイクロ波発振停止用スイッチが意図されない動作をするのを防止することができる引き出し式加熱調理器を提供することである。
【００１１】
上記の課題を解決するため、この発明による引き出し式加熱調理器は、内部に加熱室が形成されている調理器本体、前記調理器本体に対して前記加熱室の外側に配置されたスライド機構を介して前記加熱室内への収納位置と前記加熱室から外部への引き出し位置との間で移動可能に配設されている引き出し体、前記スライド機構の可動部分の奥方位置に設けられ前記引き出し体の移動と共に移動可能な作動レバー、及び前記加熱室内にマイクロ波を照射可能にするため前記引き出し体が前記収納位置を占めるときの前記作動レバーの位置に対応して前記調理器本体に設けられておりその位置を占める前記作動レバーによってオン動作されるマイクロ波発振停止スイッチを備えている。
【００１２】
この引き出し式加熱調理器によれば、引き出し体は、スライド機構を介して、調理器本体の内部に形成されている加熱室内への収納位置と加熱室から外部への引き出し位置との間で移動可能である。スライド機構の可動部分には、その奥方位置においてスイッチ作動用の作動レバーが引き出し体の移動と共に移動可能に設けられており、また、引き出し体が収納位置に移動されるときにそのときに占める作動レバーの位置に対応してマイクロ波発振停止スイッチが調理器本体に設けられている。したがって、引き出し体を収納位置に移動させたときに、作動レバーがマイクロ波発振停止スイッチをオン動作させる。このマイクロ波発振停止スイッチのオン動作によって加熱室内にマイクロ波を照射する準備ができ、例えば、他のメインスイッチを操作することによって加熱室内にマイクロ波を照射することができる。
【００１３】
作動レバーはスライド機構の可動部分の奥方位置に設けられているので、それに対応してマイクロ波発振停止スイッチもスライド機構の奥方位置に対応した位置において調理器本体に設けられている。したがって、調理器前面側からマイクロ波発振停止スイッチへのアクセスが困難となり、誤った或いは不正なマイクロ波発振停止スイッチの操作を防止することができる。
【００１４】
この引き出し式加熱調理器において、スライド機構は、調理器本体に取り付けられた固定レールと引き出し体に可動部分として取り付けられた可動レールとを備えることができ、この場合、作動レバーは可動レールの最奥位置に設けることができる。作動レバーを、固定レールと可動レールとから成るスライド機構の当該可動レールの最奥位置に設けることで、マイクロ波発振停止スイッチへの誤った或いは不正なアクセスを非常に困難にすることができる。
【００１５】
スライド機構が固定レールと可動レールとから成る上記の引き出し式加熱調理器において、引き出し体は、可動レールが取り付けられている開閉扉と、開閉扉に取り付けられている加熱容器とを備えることが好ましい。このような加熱調理器によれば、引き出し体が収納位置を占める状態において、開閉扉によって加熱室の開口部を閉鎖することができるとともに、マイクロ波を照射することができる加熱室内に加熱容器を収納させることができる。
【００１６】
引き出し体が開閉扉と加熱容器とから成る引き出し式加熱調理器において、調理器本体は、加熱室の開口部を囲み且つ引き出し体が収納位置を占める状態において開閉扉が当接する前面パネルを備えており、可動レールは前面パネルに形成された挿通孔を通して移動可能とすることができる。前面パネルに形成された挿通孔に可動レールを挿通させることによって、外部から可動レールの最奥部に配置されているマイクロ波発振停止スイッチへのアクセスは不可能になり、誤った又は不正なアクセスを未然に防止することができる。
【発明の効果】
【００１７】
この発明は、上記のように、調理器本体に対して引き出し体をスライド機構を介して引き出し可能とし、スライド機構にその奥方位置において作動レバーが引き出し体と共に移動可能に設ける構成とされているので、誤操作やいたずらによってマイクロ波発振停止用スイッチが動作をするのを未然に防止することができる引き出し式加熱調理器を得ることができる。
【発明を実施するための最良の形態】
【００１８】
以下、添付した図面に基づいて、この発明による引き出し式加熱調理器の実施例を説明する。図１はこの発明による引き出し式加熱調理器の一実施例の全体的な外観を示す斜視図、図２は図１に示す引き出し式加熱調理器の縦断面図、図３は図１に示す引き出し式加熱調理器の横断面図、図４及び図５は図１に示す引き出し式加熱調理器のスライド機構を示す側面図であって、図４は引き出し体が収納位置の少し手前に位置するときの図、図５は引き出し体が収納位置に到達したときの図である。
【００１９】
図１〜図３に示すように、引き出し式加熱調理器（以下、単に「加熱調理器」と略記する）は、調理器本体１と、調理器本体１から引き出し可能な引き出し体２とを備えている。調理器本体１の内部には、引き出し体２に載置される被加熱物６を調理するための加熱室３が形成されている。加熱室３は、前面側が開口部３ａとなっており、左右の側壁３ｂ，３ｂと、側壁３ｂ，３ｂに対してその背面（奥）側でつながる後壁３ｃと、側壁３ｂ，３ｂ及び後壁３ｃにつながる底壁３ｄ及び天壁３ｅとで囲まれることで形成されている。  
【００２０】
引き出し体２は、矢印で示す方向（図２、図３）に調理器本体１の加熱室３内から外側へ引き出すことができるように、後述するスライド機構によって調理器本体１内で移動可能に配置されている。引き出し体２は、加熱室３を開閉するための開閉扉４と、開閉扉４が取り付けられ且つ被加熱物６を載置状態に収容するための加熱容器５とを備えている。加熱容器５は、開閉扉４に取り付けられる前板５ａ、前板５ａの左右から後方に延びる左右側の側板５ｂ、５ｂと、側板５ｂ、５ｂに対してその背面（奥）側でつながる後板５ｃと、側板５ｂ、５ｂ及び後板５ｃにつながる底板５ｄとを有しており、上部に被加熱物を出し入れ可能な容器開口部５ｅが形成されている。
【００２１】
引き出し体２は、加熱容器５が加熱室３から引き出された引き出し位置と、加熱容器５を加熱室３内に収納する収納位置との間で移動可能である。加熱調理器は、引き出し体２を調理器本体１内で移動させるために、加熱室３の左右両外側に配置されたスライド機構としてのスライドレール７，７を備えている。引き出し体２が収納位置を占めるときには、開閉扉４が加熱室３の開口部３ａを閉じる位置を占める構造とされているので、加熱室３の内部空間は調理器本体１の内壁面と引き出し体２によって密閉空間となる。
【００２２】
各スライドレール７は、調理器本体１側に取り付けられる固定レール９と、引き出し体２側に取り付けられ且つ固定レール９に沿ってスライドする可動レール１０とを備えている。図３に示すように、各固定レール９は、調理器本体１の加熱室３を形成する側壁３ｂ，３ｂの外側に取り付けられている。また、各可動レール１０は、引き出し体２の開閉扉４の内側壁面から調理器本体１に向かって延びる状態に取り付けられたＬ字形アングル材８を介して、開閉扉４に取り付けられている。
【００２３】
調理器本体１内において、加熱室３の周りにマイクロ波発生装置１１が配設されている。マイクロ波発生装置１１は、加熱室３の後方に配置されたマイクロ波を発生するマグネトロン１２と、加熱室３の上方に配置されマグネトロン１２で発生したマイクロ波を伝搬する導波管１３とから構成されている。マグネトロン１２で発生したマイクロ波は導波管１３を伝播し、給電口１４から加熱室３内に供給される。
【００２４】
各スライドレール７は、加熱室３の左右各側において調理器本体１に形成される通路ボックス２１において設けられている。即ち、調理器本体１は、筐体２０として、加熱室３の開口部３ａの周りの前壁２０ａと、左右の側壁２０ｂ，２０ｂと、後壁２０ｃと、底壁２０ｄと、天壁２０ｅとを有している。加熱室３の側壁３ｂの外側には、調理器本体１の筐体２０の側壁２０ｂ，２０ｂと、前壁２０ａ、後壁２０ｃ、底壁２０ｄ及び天壁２０ｅの一部とで囲まれる通路ボックス２１が形成されている。各スライドレール７の固定レール７は、通路ボックス２１において加熱室３の側壁３ｂの外側に取り付けられ、可動レール１０は、Ｌ字形アングル材８と共に、前壁２０ａに形成されている挿通孔２２を通して通路ボックス２１内に出没可能である。
【００２５】
スライド機構としてのスライドレール７，７は加熱室３の両外側に設けられているので、各スライドレール７を構成するためのＬ字形アングル材８，固定レール９及び可動レール１０等として、高い耐熱性と難燃性とを備える高価な部品や材料を用いる必要がない。そのため、加熱調理器の製造コストを低減することができる。また、加熱室３の外側に設けられている各スライドレール７は、加熱室３内に照射されるマイクロ波の影響を受けることがないので、マイクロ波による放電の恐れがない。更に、引き出し体２は、スライドレール７，７を介して調理器本体１に支持されているので、前方に傾くことなく安定して加熱室３から引き出すことができる。
【００２６】
図４及び図５に示すように、スライドレール７，７の少なくとも一方には、可動レール１０の奥方位置、好ましくは最奥位置１０ａにマイクロ波発振停止スイッチを作動させるための作動レバー２５が設けられている。作動レバー２５は、可動レール１０に対して枢支点２５ａにおいて回動可能な可動レバーであって、ばね２５ｂによって図面で時計方向に回転付勢されており、適宜のストッパによって図示の状態に釣り合っている。
【００２７】
通路ボックス２１には、その内部を部分的に仕切る仕切り壁２３が設けられており、仕切り壁２３には、作動レバー２５の先端部が入り込むことができる窓２３ａが形成されている。可動レール１０が最奥位置１０ａを占めるときの作動レバー２５の位置に対応して、仕切り壁２３の窓２３ａの周りの裏面側には、マイクロ波発振停止用スイッチ２６が設けられている。マイクロ波発振停止用スイッチ２６は、発振スイッチ２７と短絡スイッチ２８とを備えている。
【００２８】
引き出し体２を、図４に示す開き状態から、図５に示す収納位置へ押し込んだときに、可動レール１０の最奥位置１０ａに設けられている作動レバー２５は仕切り壁２３の窓２３ａに入り込んで、マイクロ波発振停止用スイッチ２６をオン動作させる。開閉扉４を開くときには、作動レバー２５はマイクロ波発振停止用スイッチ２６から離脱して、図４に示す状態に戻り、スイッチ２６をオフ動作させる。したがって、加熱調理後については勿論のこと加熱調理中であっても、開閉扉４を開くとマイクロ波発生装置１１への電力供給がオフ状態となり、マイクロ波の発生が不能とする。加熱調理器を実際にどのように加熱作動させるかについては、ユーザが、図示しない他の操作スイッチを操作して設定できる。また、加熱超路開始のメインスイッチは、ユーザがその意図を持って操作するように別途設けられている。
【００２９】
以上、説明したように、作動レバー２５が可動レール１０の後方位置、好ましくは最奥位置１０ａに設けられているので、作動レバー２５で作動される発振スイッチ２７もユーザ等がいたずらで動作できないように、調理器本体１内の後方に備わっている。しかも、引き出し体２を押し込んで開閉扉４を完全に閉じた状態でのみ、作動レバー２５によって発振スイッチ２７がオン動作する。
【００３０】
発振スイッチを動作させるための作動レバー２５が開閉扉４から突出する配置となっていないので、被加熱物６の加熱容器５内への出し入れの際に邪魔になるものを無くすことができる。また、調理器本体１の開口部３ａの周囲の前壁２０ａが平面的な簡素な構成となり、清掃性が向上した引き出し型の加熱調理器が提供される。作動レバー２５によって動作させるべき発振スイッチ２７が加熱室３の開口部３ａの周縁部に存在しないため、従来のように、開閉扉を開けた状態で発振停止スイッチ等を動作できないようにする複雑な構造とする必要がない。更に、ユーザがいたずらで発振スイッチ２７を動作させることもできないため、安全な加熱調理器を提供することができる。なお、マイクロ波発振停止用スイッチ２６等の奥方位置に備わる部品の修理等については、全体的な分解を伴うシステムキッチンの修理として取り扱われる。
【図面の簡単な説明】
【００３１】
【図１】この発明による引き出し式加熱調理器の一実施例を全体的に示す外観斜視図。
【図２】図１に示す引き出し式加熱調理器の縦断面図。
【図３】図１に示す引き出し式加熱調理器の横断面図。
【図４】図１に示す引き出し式加熱調理器のスライド機構の開状態と発振スイッチのオフ動作状態を示す側面図。
【図５】図１に示す引き出し式加熱調理器のスライド機構の閉状態と発振スイッチのオン動作状態を示す側面図。
【符号の説明】
【００３２】
１  調理器本体
２  引き出し体
３  加熱室
３ａ  開口部
３ｂ，３ｂ    側壁
３ｃ  後壁
３ｄ  底壁
３ｅ  天壁
４  開閉扉
５  加熱容器
５ｂ、５ｂ  側板
５ｃ  後板
５ｄ  底板
５ｅ  容器開口部
６  被加熱物
７  スライドレール（スライド機構）
８  Ｌ字形アングル材
９  固定レール９
１０  可動レール
１１  マイクロ波発生装置
１２  マグネトロン
１３  導波管
１４  給電口
２０  筐体
２０ａ  前壁
２０ｂ，２０ｂ  側壁
２０ｃ  後壁
２０ｄ  底壁
２０ｅ  天壁
２１  通路ボックス
２２  挿通孔
２３  仕切り壁
２３ａ  窓
２５  作動レバー
２５ａ  枢支点
２５ｂ  ばね
２６  マイクロ波発振停止用スイッチ
２７  発振スイッチ
２８  短絡スイッチ
【図１】
2006038299.tif 000003
【図２】
2006038299.tif 000004
【図３】
2006038299.tif 000005
【図４】
2006038299.tif 000006
【図５】
2006038299.tif 000007